【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】  用紙より大きいサイズの印刷イメージに基づいて、縁無し印刷を行う印刷手段と、
１ページのデータを分割して複数ページに印刷する指示に基づいて、印刷すべき用紙に対応する印刷イメージを、隣り合う用紙に対応する印刷イメージと一部が重なるように分割し、前記印刷手段に出力する出力手段と
を備えたことを特徴とする印刷装置。
【請求項２】  前記出力手段は、隣り合う用紙に対応する印刷イメージと前記印刷すべき用紙外の一部が重なるように分割し、前記印刷手段に出力することを特徴とする請求項１に記載の印刷装置。
【請求項３】  前記出力手段は、隣り合う用紙に対応する印刷イメージと前記印刷すべき用紙内の一部が重なるように分割し、前記印刷手段に出力することを特徴とする請求項１または２に記載の印刷装置。
【請求項４】  前記出力手段は、入力バッファリング手段から入力した１ページ分の印刷データに対してアフィン変換を行った上で、変換された印刷データを分割し、出力することを特徴とする請求項１に記載の印刷装置。
【請求項５】  指示された１ページ分の印刷データを分割する数は、用紙のｘ方向とｙ方向についてそれぞれ正の整数で入力されることを特徴とする請求項１に記載の印刷装置。
【請求項６】  前記分割する数は、入力された１つの値と、用紙のｘ方向とｙ方向のサイズを元に、ｘ方向とｙ方向についてそれぞれ算出されることを特徴とする請求項５に記載の印刷装置。
【請求項７】  前記印刷手段は、用紙の少なくとも一辺を任意のサイズとして出力された印刷イメージによる印刷が可能であり、ｘ方向とｙ方向についてそれぞれ正の整数で入力された前記分割する数から、用紙の一辺を前記印刷手段に対して指示して前記印刷イメージを出力することを特徴とする請求項６に記載の印刷装置。
【請求項８】  用紙より大きいサイズの印刷イメージに基づいて、縁無し印刷を行う印刷部を利用する印刷方法であって、
１ページのデータを分割して複数ページに印刷する指示に基づいて、印刷すべき用紙に対応する印刷イメージを、隣り合う用紙に対応する印刷イメージと一部が重なるように分割し、前記印刷部に出力する出力ステップと
を備えたことを特徴とする印刷方法。
【請求項９】  前記出力ステップは、隣り合う用紙に対応する印刷イメージと前記印刷すべき用紙外の一部が重なるように分割し、前記印刷部に出力することを特徴とする請求項８に記載の印刷方法。
【請求項１０】  前記出力ステップは、隣り合う用紙に対応する印刷イメージと前記印刷すべき用紙内の一部が重なるように分割し、前記印刷部に出力することを特徴とする請求項８または９に記載の印刷方法。
【請求項１１】  前記出力ステップは、入力バッファリング部から入力した１ページ分の印刷データに対してアフィン変換を行った上で、変換された印刷データを分割し、出力することを特徴とする請求項８に記載の印刷方法。
【請求項１２】  指示部から指示された１ページ分の印刷データを分割する数は、用紙のｘ方向とｙ方向についてそれぞれ正の整数で入力されることを特徴とする請求項８に記載の印刷方法。
【請求項１３】  前記分割する数は、入力された１つの値と、用紙のｘ方向とｙ方向のサイズを元に、ｘ方向とｙ方向についてそれぞれ算出されることを特徴とする請求項１２に記載の印刷方法。
【請求項１４】  前記印刷部は、用紙の少なくとも一辺を任意のサイズとして出力された印刷イメージによる印刷が可能であり、ｘ方向とｙ方向についてそれぞれ正の整数で入力された前記分割する数から、用紙の一辺を前記印刷部に対して指示して前記印刷イメージを出力することを特徴とする請求項１３に記載の印刷方法。
【請求項１５】  用紙より大きいサイズの印刷イメージに基づいて、縁無し印刷を行う印刷部を利用するコンピュータ読み取り可能なプログラムであって、
１ページのデータを分割して複数ページに印刷する指示に基づいて、印刷すべき用紙に対応する印刷イメージを、隣り合う用紙に対応する印刷イメージと一部が重なるように分割し、前記印刷部に出力する出力ステップと
をコンピュータに実行させることを特徴とするプログラム。
【請求項１６】  前記出力ステップは、隣り合う用紙に対応する印刷イメージと前記印刷すべき用紙外の一部が重なるように分割し、前記印刷部に出力することを特徴とする請求項１５に記載のプログラム。
【請求項１７】  前記出力ステップは、隣り合う用紙に対応する印刷イメージと前記印刷すべき用紙内の一部が重なるように分割し、前記印刷部に出力することを特徴とする請求項１５または１６に記載のプログラム。
【請求項１８】  前記出力ステップは、入力バッファリング部から入力した１ページ分の印刷データに対してアフィン変換を行った上で、変換された印刷データを分割し、出力することを特徴とする請求項１５に記載のプログラム。
【請求項１９】  指示部から指示された１ページ分の印刷データを分割する数は、用紙のｘ方向とｙ方向についてそれぞれ正の整数で入力されることを特徴とする請求項１５に記載のプログラム。
【請求項２０】  前記分割する数は、入力された１つの値と、用紙のｘ方向とｙ方向のサイズを元に、ｘ方向とｙ方向についてそれぞれ算出されることを特徴とする請求項１９に記載のプログラム。
【請求項２１】  前記印刷部は、用紙の少なくとも一辺を任意のサイズとして出力された印刷イメージによる印刷が可能であり、ｘ方向とｙ方向についてそれぞれ正の整数で入力された前記分割する数から、用紙の一辺を前記印刷部に対して指示して前記印刷イメージを出力することを特徴とする請求項２０に記載のプログラム。
【手続補正２】
【補正対象書類名】明細書
【補正対象項目名】０００１
【補正方法】変更
【補正の内容】
【０００１】
【発明の属する技術分野】
本発明は、印刷装置および印刷方法に関し、より詳細には、用紙より大きいサイズの印刷イメージに基づいて、縁無し印刷を行う印刷装置および印刷方法に関する。
【手続補正３】
【補正対象書類名】明細書
【補正対象項目名】００１１
【補正方法】変更
【補正の内容】
【００１１】
【課題を解決するための手段】
本発明は、このような目的を達成するために、請求項１に記載の発明は、用紙より大きいサイズの印刷イメージに基づいて、縁無し印刷を行う印刷手段と、１ページのデータを分割して複数ページに印刷する指示に基づいて、印刷すべき用紙に対応する印刷イメージを、隣り合う用紙に対応する印刷イメージと一部が重なるように分割し、前記印刷手段に出力する出力手段とを備えたことを特徴とする。
【手続補正４】
【補正対象書類名】明細書
【補正対象項目名】００１８
【補正方法】変更
【補正の内容】
【００１８】
請求項８に記載の発明は、用紙より大きいサイズの印刷イメージに基づいて、縁無し印刷を行う印刷部を利用する印刷方法であって、１ページのデータを分割して複数ページに印刷する指示に基づいて、印刷すべき用紙に対応する印刷イメージを、隣り合う用紙に対応する印刷イメージと一部が重なるように分割し、前記印刷部に出力する出力ステップとを備えたことを特徴とする。
【手続補正５】
【補正対象書類名】明細書
【補正対象項目名】００２５
【補正方法】変更
【補正の内容】
【００２５】
請求項１５に記載の発明は、用紙より大きいサイズの印刷イメージに基づいて、縁無し印刷を行う印刷部を利用するコンピュータ読み取り可能なプログラムであって、１ページのデータを分割して複数ページに印刷する指示に基づいて、印刷すべき用紙に対応する印刷イメージを、隣り合う用紙に対応する印刷イメージと一部が重なるように分割し、前記印刷部に出力する出力ステップとをコンピュータに実行させることを特徴とする。
【手続補正６】
【補正対象書類名】明細書
【補正対象項目名】００６２
【補正方法】変更
【補正の内容】
【００６２】
【発明の効果】
以上説明したように本発明の印刷装置によれば、用紙より大きいサイズの印刷イメージに基づいて、縁無し印刷を行う印刷手段と、１ページのデータを分割して複数ページに印刷する指示に基づいて、異なる用紙に対応する印刷イメージと一部が重なる印刷すべき用紙に対応する印刷イメージを印刷手段に出力する出力手段とを備えるので、ポスター印刷機能を用いる場合にも、隣り合う部分の領域が失われて不連続な出力結果になることなく、余白を裁断する必要がない縁無し印刷を行うことができる。